(57)【要約】      （修正有）【課題】フロントマスクを設けることなく、雄端子を収容することができる積層式コネクタを提供する。【解決手段】積層式コネクタであって、雄端子２２は、筒状の本体部２４と、本体部２４の前端から前方に突出するタブ部２６と、を備えており、複数のサブハウジングは、少なくとも、互いに積層される第５サブハウジング１２Ｅ、及び、第６サブハウジング１２Ｆ、を備えており、第５サブハウジング１２Ｅ及び第６サブハウジング１２Ｆの互いに対向する面には、雄端子２２が収容される下側収容溝４６Ｅ及び上側収容溝３６Ｆがそれぞれ開口して設けられ、雄端子２２は、下側収容溝４６Ｅ及び上側収容溝３６Ｆとの間に位置しており、第５サブハウジング１２Ｅ及び第６サブハウジング１２Ｆの前面には、第５サブハウジング１２Ｅ及び第６サブハウジング１２Ｆが積層された状態において、雄端子２２のタブ部２６が挿通されるタブ挿通口が開口して設けられている。【選択図】図９
2020077568.tif 000002
【特許請求の範囲】
【請求項１】
前後方向に長い形状をなす雄端子と、上下方向に互いに積層され、前記雄端子が収容される複数のサブハウジングと、を備える積層式コネクタであって、
前記雄端子は、筒状の本体部と、前記本体部の前端から前方に突出するタブ部と、を備えており、
前記複数のサブハウジングは、少なくとも、互いに積層される一のサブハウジング、及び、二のサブハウジング、を備えており、
前記一のサブハウジング及び前記二のサブハウジングの互いに対向する面には、前記雄端子が収容される一の収容溝及び二の収容溝がそれぞれ開口して設けられ、前記雄端子は、前記一の収容溝及び前記二の収容溝との間に位置しており、
前記一のサブハウジング及び前記二のサブハウジングの前面には、前記一のサブハウジング及び前記二のサブハウジングが積層された状態において、前記雄端子のタブ部が挿通される挿通口が開口して設けられ、前記挿通口は、前記一の収容溝及び前記二の収容溝と連通しており、
前記挿通口の開口の大きさは、前記本体部よりも小さくなっている積層式コネクタ。
【請求項２】
互いに積層された前記複数のサブハウジングを収容可能なハウジング本体を備える請求項１に記載の積層式コネクタ。
【請求項３】
前記雄端子の前記本体部の前端部は、前記タブ部に向けて傾斜するテーパー状をなしており、
前記一の収容溝の内壁の前端部、又は、前記二の収容溝の内壁の前端部の少なくとも一方は、前記本体部の前端部の形状に合わせて、前記挿通口に向けて傾斜するテーパー状をなしている請求項１又は請求項２に記載の積層式コネクタ。
【請求項４】
前記二のサブハウジングの上方に前記一のサブハウジングが積層されることとされ、
前記二のサブハウジングの後端には、第１嵌合部が設けられ、前記一のサブハウジングの後端には、下方に突出し、前記第１嵌合部と嵌合可能とされ、前記第１嵌合部と嵌合することで、前記二のサブハウジングに対して、上方、及び、前方に変位することを抑制する第２嵌合部が設けられている請求項１から請求項３のいずれか一項に記載の積層式コネクタ。
【請求項５】
前記二のサブハウジングの幅方向両端には、上方に片持ち状に突出し、さらに内方に突出する一対のロックアームが設けられ、前記一のサブハウジングの両側面には、一対の第１突部が突設されており、
前記一対のロックアームが前記一対の第１突部を側方から覆いつつ、前記一対の第１突部が前記一対のロックアームの端部に下方から当接可能に位置することで、前記一のサブハウジングは、前記二のサブハウジングに対して側方及び上方に変位することが抑制され、
前記一のサブハウジングの前記一対の第１突部の前方には、前記一対のロックアームに前方から当接可能な一対の第２突部が突設されており、前記一対の第２突部が前記一対のロックアームに前方から当接することで、前記一のサブハウジングは、前記二のサブハウジングに対して後方に変位することが抑制される請求項１から請求項４のいずれか一項に記載の積層式コネクタ。
【発明の詳細な説明】
【技術分野】
【０００１】
本明細書によって開示される技術は、積層式コネクタに関する。
【背景技術】
【０００２】
従来の積層式コネクタの一例として、下記特許文献１に記載の積層式コネクタが知られている。この積層式コネクタは、複数の電線の末端に各々固定される複数の雌型端子と、これらの雌型端子を保持するための複数のサブハウジングと、複数のサブハウジングが互いに積層された状態に保持するホルダハウジングと、を備えている。
【０００３】
ホルダハウジングは、積層されたサブハウジングのうち相手方コネクタに対向する面を一括して覆うフロントマスク部と、サブハウジングを前記フロントマスク部よりも後側の位置で外側から保持する保持部とを備える。
【先行技術文献】
【特許文献】
【０００４】
【特許文献１】特許５５１５６２１号公報
【発明の概要】
【発明が解決しようとする課題】
【０００５】
上記構成では、フロントマスク部を設けることにより、サブハウジングに収容された雌型端子の前方への抜け止めがなされている。しかしながら、雄型端子によって積層式コネクタを構成しようとした場合、相手側の雌型端子と接触するタブ部が、サブハウジングの相手側コネクタと対向する面から嵌合方向前方に突出していることから、積層されたサブハウジングに保持部を上方から取付ける際に、フロントマスク部がタブ部に干渉することでホルダハウジングをサブハウジングに取付けることができない。
【課題を解決するための手段】
【０００６】
本明細書で開示される積層式コネクタは、前後方向に長い形状をなす雄端子と、上下方向に互いに積層され、前記雄端子が収容される複数のサブハウジングと、を備える積層式コネクタであって、前記雄端子は、筒状の本体部と、前記本体部の前端から前方に突出するタブ部と、を備えており、前記複数のサブハウジングは、少なくとも、互いに積層される一のサブハウジング、及び、二のサブハウジング、を備えており、前記一のサブハウジング及び前記二のサブハウジングの互いに対向する面には、前記雄端子が収容される一の収容溝及び二の収容溝がそれぞれ開口して設けられ、前記雄端子は、前記一の収容溝及び前記二の収容溝との間に位置しており、前記一のサブハウジング及び前記二のサブハウジングの前面には、前記一のサブハウジング及び前記二のサブハウジングが積層された状態において、前記雄端子のタブ部が挿通される挿通口が開口して設けられ、前記挿通口は、前記一の収容溝及び前記二の収容溝と連通しており、前記挿通口の開口の大きさは、前記本体部よりも小さくなっている。
【０００７】
挿通口の開口の大きさは本体部よりも小さくなっているため、従来のように、サブハウジングの前面にフロントマスクを設けることなく、雄端子が前方に抜け落ちることを抑制することができる。したがって、雄端子によって積層式コネクタを構成することができる。
【０００８】
また、互いに積層された前記複数のサブハウジングを収容可能なハウジング本体を備える構成としても良い。
【０００９】
互いに積層された複数のサブハウジングをハウジング本体に収容することで、複数のサブハウジングを積層された状態に保持することができる。
【００１０】
また、前記雄端子の前記本体部の前端部は、前記タブ部に向けて傾斜するテーパー状をなしており、前記一の収容溝の内壁の前端部、又は、前記二の収容溝の内壁の前端部の少なくとも一方は、前記本体部の前端部の形状に合わせて、前記挿通口に向けて傾斜するテーパー状をなしている構成としても良い。
【００１１】
本体部の前端部はタブ部に向けて傾斜するテーパー状をなしていることから、一の収容溝の内壁の前端部、又は、二の収容溝の内壁の前端部の少なくとも一方を、本体部の前端部の形状に合わせて、挿通口に向けて傾斜するテーパー状をなす形状にすることで、本体部の前端部が一の収容溝の内壁の前端部、又は、二の収容溝の内壁の前端部の少なくとも一方に後方から当接し、雄端子がサブハウジングから前方に抜け落ちることを抑制することができる。
【００１２】
また、前記二のサブハウジングの上方に前記一のサブハウジングが積層されることとされ、前記二のサブハウジングの後端には、第１嵌合部が設けられ、前記一のサブハウジングの後端には、下方に突出し、前記第１嵌合部と嵌合可能とされ、前記第１嵌合部と嵌合することで、前記二のサブハウジングに対して、上方、及び、前方に変位することを抑制する第２嵌合部が設けられている構成としても良い。
【００１３】
一のサブハウジングが、二のサブハウジングに対して、上方、及び、前方に変位することを抑制することができる。
【００１４】
また、前記二のサブハウジングの幅方向両端には、上方に片持ち状に突出し、さらに内方に突出する一対のロックアームが設けられ、前記一のサブハウジングの両側面には、一対の第１突部が突設されており、前記一対のロックアームが前記一対の第１突部を側方から覆いつつ、前記一対の第１突部が前記一対のロックアームの端部に下方から当接可能に位置することで、前記一のサブハウジングは、前記二のサブハウジングに対して側方及び上方に変位することが抑制され、前記一のサブハウジングの前記一対の第１突部の前方には、前記一対のロックアームに前方から当接可能な一対の第２突部が突設されており、前記一対の第２突部が前記一対のロックアームに前方から当接することで、前記一のサブハウジングは、前記二のサブハウジングに対して後方に変位することが抑制される構成としても良い。
【００１５】
一のサブハウジングが、二のサブハウジングに対して、側方、上方、及び、後方に変位することを抑制することができる。
【発明の効果】
【００１６】
本明細書に開示される技術によれば、雄端子によって積層式コネクタを構成することができる。
【図面の簡単な説明】
【００１７】
【図１】本実施形態における積層式コネクタの斜視図
【図２】積層式コネクタの分解図
【図３】サブハウジング組立体の正面図
【図４】サブハウジング組立体の側面図
【図５】図３におけるＡ−Ａ断面図
【図６】サブハウジング組立体の分解図
【図７】図６における第５サブハウジング及び第６サブハウジングの拡大図
【図８】第５サブハウジング及び第６サブハウジングが組み立てられた状態の正面図
【図９】図８におけるＡ−Ａ断面図
【図１０】上方から視た第５サブハウジングの斜視図
【図１１】下方から視た第５サブハウジングの斜視図
【図１２】第５サブハウジングの背面図
【図１３】組付け時の第５サブハウジング及び第６サブハウジングの側面図
【図１４】組付け後の第５サブハウジング及び第６サブハウジングの側面図
【発明を実施するための形態】
【００１８】
＜実施形態＞
図１から図１４を参照して本実施形態を説明する。本実施形態の積層式コネクタ１０は、図１、図２に示すように、上下方向に互いに積層される複数のサブハウジング１２から構成されるサブハウジング組立体１４と、前方にフード状に開口するフード部１６Ａ、及び、サブハウジング組立体１４が後方から収容され、サブハウジング組立体１４を積層された状態に保持するサブハウジング収容部１６Ｂを有する筒状のハウジング本体１６と、を備えている。以降の説明では、図１から図１４におけるＸ方向を前後方向の前方とし、Ｙ方向を左右方向の右方とし、Ｚ方向を上下方向の上方とする。
【００１９】
雄端子２２は、図９、図１１、図１２に示すように、前後方向に長い形状をなしており、筒状の本体部２４と、本体部２４の前端から前方に突出する板状のタブ部２６と、本体部２４の後端から後方に突出しており、電線Ｗの芯線に圧着される電線接続部２８と、を備えている。本体部２４の前端部３０は、タブ部２６に向けて傾斜するテーパー状をなしている。また、本体部２４の下面には、端子側突部３２が突設されている。
【００２０】
サブハウジング組立体１４は、図３から図６に示すように、互いに積層される６つのサブハウジング１２と、最下段のサブハウジング１２に下方から取付けられるリテーナ３４と、から構成されている。
【００２１】
６つのサブハウジング１２のうち、上から１段目の第１サブハウジング１２Ａ及び２段目の第２サブハウジング１２Ｂには、タブサイズの大きい雄端子（図示せず）が収容される。また、上から３段目の第３サブハウジング１２Ｃ、４段目の第４サブハウジング１２Ｄ、５段目の第５サブハウジング（一のサブハウジング）１２Ｅ、６段目の第６サブハウジング（二のサブハウジング）１２Ｆには、タブサイズの小さい雄端子２２が収容される。以降は、５段目の第５サブハウジング１２Ｅ、及び、６段目の第６サブハウジング１２Ｆについて詳細に説明する。
【００２２】
第５サブハウジング１２Ｅは、板状をなしており、図７、図１０に示すように、第５サブハウジング１２Ｅの上面には、前後方向に長い上側収容溝３６Ｅが、左右方向に所定の間隔を開けて複数設けられている。上側収容溝３６Ｅは、前方に位置する前方収容溝３８Ｅと、後方に位置する後方収容溝４０Ｅと、から構成され、前方収容溝３８Ｅと後方収容溝４０Ｅとは、前後方向に所定の間隔を開けて配されている。
【００２３】
第５サブハウジング１２Ｅの下面には、図１１、図１２に示すように、前後方向に長い下側収容溝４６Ｅが、左右方向に所定の間隔を開けて複数設けられている。第５サブハウジング１２Ｅには、左右方向に長い板状をなす底板部４２Ｅが設けられており、底板部４２Ｅは、それぞれの下側収容溝４６Ｅの一部を下方から覆っている。底板部４２Ｅの下側収容溝４６Ｅと対向する面には、図９に示すように、前方に片持ち状に突出するランス部４８が設けられている。
【００２４】
第５サブハウジング１２Ｅの後面には、雄端子２２が挿通される複数のキャビティ５０Ｅが開口して設けられており、それぞれのキャビティ５０Ｅの内部は、それぞれの下側収容溝４６Ｅと連通している。
【００２５】
図１０に示すように、第５サブハウジング１２Ｅの前面の上端部には、雄端子２２のタブ部２６が挿通される複数の上側挿通口５２Ｅが開口して設けられており、それぞれの上側挿通口５２Ｅは、上側収容溝３６Ｅと連通している。上側収容溝３６Ｅの内壁の前端部５５Ｅは、上側挿通口５２Ｅに向けて傾斜するテーパー状をなしており、雄端子２２の本体部２４の前端部３０の形状に合わせて、同じ角度の傾斜となっている。
【００２６】
図１１に示すように、第５サブハウジング１２Ｅの前面の下端部には、雄端子２２のタブ部２６が挿通される複数の下側挿通口５４Ｅが開口して設けられており、それぞれの下側挿通口５４Ｅは、下側収容溝４６Ｅと連通している。下側収容溝４６Ｅの内壁の前端部５８Ｅは、下側挿通口５４Ｅに向けて傾斜するテーパー状をなしており、雄端子２２の本体部２４の前端部３０の形状に合わせて、同じ角度の傾斜となっている。
【００２７】
図１０に示すように、第５サブハウジング１２Ｅの後端の両側には、一対の凹部５９Ｅが開口して設けられている。また、第５サブハウジング１２Ｅの後端の両側には、下方（積層状態では第６サブハウジング１２Ｆ側）に突出し、さらに前方に突出する一対の鉤部（第２嵌合部）６０が設けられている。
【００２８】
第５サブハウジング１２Ｅの左右方向両端（幅方向両端）には、上方に片持ち状に突出する一対のロックアーム６２Ｅが設けられており、一対のロックアーム６２Ｅの上端部には、内方に突出する一対のロック部６４Ｅが設けられている。
図７に示すように、第５サブハウジング１２Ｅの両側面には、一対の第１突部６６Ｅ、及び、一対の第２突部６８Ｅが突設されている。一対の第１突部６６Ｅは、一対のロックアーム６２Ｅの下方に位置しており、一対の第２突部６８Ｅは、一対の第１突部６６Ｅ及び一対のロックアーム６２Ｅの前方に位置している。
【００２９】
第６サブハウジング１２Ｆは、第５サブハウジング１２Ｅと略同じ形状をなしており、一対の鉤部６０が設けられていない点を除き、第５サブハウジング１２Ｅと同じ構成となっている。第５サブハウジング１２Ｅの各部の符号は、語尾に「Ｅ」を付加していたが、第６サブハウジング１２Ｆの各部の符号は、語尾に「Ｆ」を付加して第５サブハウジング１２Ｅと区別する。第５サブハウジング１２Ｅの下側収容溝４６Ｅに雄端子２２が収容された状態で、第５サブハウジング１２Ｅは、第６サブハウジング１２Ｆの上方に積層される。
【００３０】
雄端子２２が第５サブハウジング１２Ｅのキャビティ５０Ｅから、下側収容溝４６Ｅ内に収容されると、図９に示すように、本体部２４の端子側突部３２が、第５サブハウジング１２Ｅのランス部４８Ｅの前端に前方から当接可能に位置する。これにより、雄端子２２の後方への抜け止めがなされている。
【００３１】
第５サブハウジング１２Ｅと第６サブハウジング１２Ｆとが積層されると、図９に示すように、サブハウジング１２Ｆの上側収容溝３６Ｆの前方収容溝３８Ｆに雄端子２２の前端部３０が収容され、後方収容溝４０Ｆに雄端子２２の電線接続部２８が収容される。また、サブハウジング１２Ｆの前方収容溝３８Ｆと後方収容溝４０Ｆとの間に、サブハウジング１２Ｅの底板部４２Ｅが収容される。
【００３２】
また、第５サブハウジング１２Ｅと第６サブハウジング１２Ｆとが積層されると、図８に示すように、第５サブハウジング１２Ｅの下側挿通口５４Ｅと、第６サブハウジング１２Ｆの上側挿通口５２Ｆとからなる一つのタブ挿通口（挿通口）７０が形成される。タブ挿通口７０の開口の大きさは、本体部２４よりも小さくなっており、本体部２４の前端部３０は、第５サブハウジング１２Ｅの下側収容溝４６Ｅの内壁の前端部５８Ｅ、及び、第６サブハウジング１２Ｆの上側収容溝３６Ｆの内壁の前端部５５Ｆに前方から当接している。これにより、雄端子２２は、前方への抜け止めがなされている。
【００３３】
図１３、図１４を参照して第５サブハウジング１２Ｅ及び第６サブハウジング１２Ｆの組付けを行う手順について説明する。なお、第５サブハウジング１２Ｅ及び第６サブハウジング１２Ｆの組付けは、第５サブハウジング１２Ｅ及び第６サブハウジング１２Ｆを上下逆にした状態で行っても良い。
【００３４】
先ず、図１３に示すように、第６サブハウジング１２Ｆの一対の凹部（第１嵌合部）５９Ｆに、第５サブハウジング１２Ｅの一対の鉤部６０の先端を収容し、第５サブハウジング１２Ｅの一対の鉤部６０と、第６サブハウジング１２Ｆの一対の凹部５９Ｆとを嵌合する。次に、図１４に示すように、第５サブハウジング１２Ｅを、第６サブハウジング１２Ｆ側に倒すと、第６サブハウジング１２Ｆの一対のロックアーム６２Ｆが、第５サブハウジング１２Ｅの一対の第１突部６６Ｅを左右両側方から覆いつつ、第５サブハウジング１２Ｅの第１突部６６Ｅに下方から当たることにより、一対のロックアーム６２Ｆは外方に弾性変位し、第５サブハウジング１２Ｅに組付けられる。なお、第５サブハウジング１２Ｅ及び第６サブハウジング１２Ｆ以外の他のサブハウジング１２についても同様に組付けられる。
【００３５】
第５サブハウジング１２Ｅ及び第６サブハウジング１２Ｆの組付けが完了した状態において、第５サブハウジング１２Ｅを上方に変位させようとすると、第５サブハウジング１２Ｅの一対の鉤部６０が第６サブハウジング１２Ｆの一対の凹部５９Ｆの内壁に下方から当接し、さらに、第５サブハウジング１２Ｅの一対の第１突部６６Ｅが第６サブハウジング１２Ｆの一対のロックアーム６２Ｆのロック部６４Ｆに下方から当接するため、第５サブハウジング１２Ｅは、第６サブハウジング１２Ｆに対して上方に変位することが抑制される。
【００３６】
また、第５サブハウジング１２Ｅを前方に変位させようとすると、第５サブハウジング１２Ｅの一対の鉤部６０が、第６サブハウジング１２Ｆの一対の凹部５９Ｆの開口縁に後方から当接するため、第５サブハウジング１２Ｅは第６サブハウジング１２Ｆに対して前方に変位することが抑制される。
【００３７】
また、第５サブハウジング１２Ｅを側方（左方又は右方）に変位させようとすると、第５サブハウジング１２Ｅの第１突部６６Ｅが、第１突部６６Ｅを側方から覆う第６サブハウジング１２Ｆのロックアーム６２Ｆに当接するため、第５サブハウジング１２Ｅは、第６サブハウジング１２Ｆに対して側方に変位することが抑制される。
【００３８】
また、第５サブハウジング１２Ｅを後方に変位させようとすると、第５サブハウジング１２Ｅの第２突部６８Ｅが、第６サブハウジング１２Ｆの一対のロックアーム６２Ｆの前端に前方から当接し、第５サブハウジング１２Ｅが後方に変位することが抑制される。
【００３９】
以上のように本実施形態によれば、タブ挿通口（挿通口）７０の開口の大きさは本体部２４よりも小さくなっているため、従来のように、サブハウジングの前面にフロントマスクを設けることなく、雄端子２２が前方に抜け落ちることを抑制することができる。
【００４０】
また、互いに積層された複数のサブハウジング１２をハウジング本体１６に収容することで、複数のサブハウジング１２を積層された状態に保持することができる。
【００４１】
また、本体部２４の前端部３０はタブ部２６に向けて傾斜するテーパー状をなしていることから、第５サブハウジング（一のサブハウジング）１２Ｅの下側収容溝（一の収容溝）４６Ｅの内壁の前端部５８Ｅ、又は、第６サブハウジング（二のサブハウジング）１２Ｆの上側収容溝（二の収容溝）３６Ｆの内壁の前端部５５Ｆの少なくとも一方を、本体部２４の前端部３０の形状に合わせて、タブ挿通口７０（挿通口）に向けて傾斜するテーパー状をなす形状にすることで、本体部２４の前端部３０が第５サブハウジング（一のサブハウジング）１２Ｅの下側収容溝（一の収容溝）４６Ｅの内壁の前端部５８Ｅ、又は、第６サブハウジング（二のサブハウジング）１２Ｆの上側収容溝（二の収容溝）３６Ｆの内壁の前端部５５Ｆの少なくとも一方に後方から当接し、雄端子２２が第５サブハウジング１２Ｅ、及び、第６サブハウジング１２Ｆから前方に抜け落ちることを抑制することができる。
【００４２】
また、第５サブハウジング（一のサブハウジング）１２Ｅが、第６サブハウジング（二のサブハウジング）１２Ｆに対して、上方、及び、前方に変位することを抑制することができる。
【００４３】
また、第５サブハウジング（一のサブハウジング）１２Ｅが、第６サブハウジング（二のサブハウジング）１２Ｆに対して、側方、上方向、及び、後方に変位することを抑制することができる。
【００４４】
＜他の実施形態＞
本明細書によって開示される技術は上記記述及び図面によって説明した実施形態に限定されるものではなく、例えば次のような種々の態様も含まれる。
（１）上記実施形態では、サブハウジング１２側にランス部４８が設けられている構成としたが、雄端子にランス部を設ける構成としても良い。
（２）上記実施形態では、サブハウジング１２は、６つである構成としたが、サブハウジング１２の数は、２つ以上であればいくつでも良い。
（３）上記実施形態では、第５サブハウジング１２Ｅの下側収容溝４６Ｅの内壁の前端部５８Ｅ、及び、第６サブハウジング１２Ｆの上側収容溝３６Ｆの内壁の前端部５５Ｆは、本体部２４の前端部３０の形状に合わせて、上側挿通口５２Ｆ及び下側挿通口５４Ｅに向けて傾斜するテーパー状をなしている構成としたが、第５サブハウジングの下側収容溝の内壁の前端部、又は、第６サブハウジングの上側収容溝の内壁の前端部の少なくとも一方が、本体部の前端部の形状に合わせてテーパー状をなしている構成としても良い。
（４）上記実施形態では、タブ挿通口７０は、第５サブハウジング１２Ｅの下側挿通口５４Ｅと、第６サブハウジング１２Ｆの上側挿通口５２Ｆとからなる構成としたが、第６サブハウジングの上側挿通口を設けない構成とし、第５サブハウジングの下側挿通口をタブ挿通口である構成としても良い。
（５）上記実施形態では、一つのサブハウジング１２に鉤部６０を一対設けているものの、鉤部６０を一つだけ設けるようにしても良い。
【符号の説明】
【００４５】
１０：積層式コネクタ
１２：サブハウジング
１２Ｅ：第５サブハウジング（一のサブハウジング）
１２Ｆ：第６サブハウジング（二のサブハウジング）
１６：ハウジング本体
２２：雄端子
２４：本体部
２６：タブ部
３０：前端部
３６Ｅ，３６Ｆ：上側収容溝（二の収容溝）
４６Ｅ：下側収容溝（一の収容溝）
５５Ｅ，５５Ｆ：上側収容溝の内壁の前端部
５８Ｅ：下側収容溝の内壁の前端部
５９Ｅ，５９Ｆ：凹部（第１嵌合部）
６０：鉤部（第２嵌合部）
６２Ｅ，６２Ｆ：ロックアーム
６６Ｅ：第１突部（突部）
６８Ｅ：第２突部（突部）
７０：タブ挿通口（挿通口）
【図１】
2020077568.tif 000003
【図２】
2020077568.tif 000004
【図３】
2020077568.tif 000005
【図４】
2020077568.tif 000006
【図５】
2020077568.tif 000007
【図６】
2020077568.tif 000008
【図７】
2020077568.tif 000009
【図８】
2020077568.tif 000010
【図９】
2020077568.tif 000011
【図１０】
2020077568.tif 000012
【図１１】
2020077568.tif 000013
【図１２】
2020077568.tif 000014
【図１３】
2020077568.tif 000015
【図１４】
2020077568.tif 000016